(57)【要約】【課題】複数の演出部材で形成される演出体の一体感を向上させる。【解決手段】第一演出部材１０と第二演出部材２０は、第一演出部材１０と第二演出部材２０の少なくとも一方が移動することで、第一演出部材１０と第二演出部材２０が接近して演出体の少なくとも一部を形成する演出体形成状態と、演出体形成状態よりも第一演出部材１０と第二演出部材２０とが離間して演出体の少なくとも一部を形成しない演出体非形成状態とに変位するように構成され、第一演出部材１０と第二演出部材２０の一方には、演出体形成状態の際に第一演出部材１０と第二演出部材２０の境目および第一演出部材１０と第二演出部材２０の他方の少なくとも一部を覆う補助装飾部１０ｂが形成されている。【選択図】図４
2014132932.tif 000002
【特許請求の範囲】
【請求項１】
第一演出部材と第二演出部材の組み合わせにより演出体の少なくとも一部を形成する遊技機において、
前記第一演出部材と前記第二演出部材は、
前記第一演出部材と前記第二演出部材の少なくとも一方が移動することで、前記第一演出部材と前記第二演出部材が接近して前記演出体の少なくとも一部を形成する演出体形成状態と、前記演出体形成状態よりも前記第一演出部材と前記第二演出部材とが離間して前記演出体の少なくとも一部を形成しない演出体非形成状態とに変位するように構成され、
前記第一演出部材と前記第二演出部材の一方には、前記演出体形成状態の際に前記第一演出部材と前記第二演出部材の境目および前記第一演出部材と前記第二演出部材の他方の少なくとも一部を覆う補助装飾部が形成されていることを特徴とする遊技機。
【請求項２】
少なくとも前記演出体形成状態において、前記第一演出部材および前記第二演出部材は同一平面上に位置することを特徴とする請求項１に記載の遊技機。
【請求項３】
前記演出体形成状態において、前記第一演出部材と前記第二演出部材は当接せずに隙間が形成されるように規制されているとともに、隙間の少なくとも一部は前記補助装飾部に覆われていることを特徴とする請求項１または請求項２に記載の遊技機。
【請求項４】
前記第一演出部材と前記第二演出部材によって形成される演出体の少なくとも一部は、境目の中央を通る直線を対称軸として左右対称であることを特徴とする請求項１から請求項３のいずれか一項に記載の遊技機。
【発明の詳細な説明】
【技術分野】
【０００１】
本発明は、所定の位置に位置するときに演出体の少なくとも一部を構成する第一演出部材および第二演出部材を備えた遊技機に関する。
【背景技術】
【０００２】
下記特許文献１には、所定の位置に位置するときに仮面を象った演出体を構成する二つの演出部材（開閉部材）を備えた遊技機が記載されている。
【先行技術文献】
【特許文献】
【０００３】
【特許文献１】特開２０１０−６８６１４号公報
【発明の概要】
【発明が解決しようとする課題】
【０００４】
上記特許文献１において、仮面を象った演出体が形成された状態では二つの演出部材の間に視認可能な繋ぎ目が生じる。このような繋ぎ目が生ずると演出体の一体感が失われてしまう。
【０００５】
本発明は、複数の演出部材で形成される演出体の一体感を向上させることが可能な遊技機の提供を目的とする。
【課題を解決するための手段】
【０００６】
上記課題を解決するためになされた請求項１の発明にかかる遊技機は、第一演出部材と第二演出部材の組み合わせにより演出体の少なくとも一部を形成する遊技機であって、前記第一演出部材と前記第二演出部材は、前記第一演出部材と前記第二演出部材の少なくとも一方が移動することで、前記第一演出部材と前記第二演出部材が接近して前記演出体の少なくとも一部を形成する演出体形成状態と、前記演出体形成状態よりも前記第一演出部材と前記第二演出部材とが離間して前記演出体の少なくとも一部を形成しない演出体非形成状態とに変位するように構成され、前記第一演出部材と前記第二演出部材の一方には、前記演出体形成状態の際に前記第一演出部材と前記第二演出部材の境目および前記第一演出部材と前記第二演出部材の他方の少なくとも一部を覆う補助装飾部が形成されていることを特徴とする。
【０００７】
請求項２に記載の発明は、請求項１に記載の遊技機において、少なくとも前記演出体形成状態時に、前記第一演出部材および前記第二演出部材は同一平面上に位置することを特徴とする。
【０００８】
請求項３に記載の発明は、請求項１または請求項２に記載の遊技機において、前記演出体形成状態時に、前記第一演出部材と前記第二演出部材は当接せずに隙間が形成されるように規制されているとともに、隙間の少なくとも一部は前記補助装飾部に覆われていることを特徴とする。
【０００９】
請求項４に記載の発明は、請求項１から請求項３のいずれか一項に記載の遊技機において、少なくとも前記演出体形成状態時に、前記第一演出部材と前記第二演出部材は境目の中央を通る直線を対称軸として左右対称であることを特徴とする。
【発明の効果】
【００１０】
請求項１に記載の発明では、第一演出部材と第二演出部材の少なくとも一方に設けられた補助装飾部によって、演出体形成状態の際に第一演出部材と第二演出部材の境目および演出部材の他方が覆われるから、両演出部材により少なくとも一部が形成される演出体の一体感を向上させること、すなわち両演出部材による演出効果を向上させることが可能となる。
【００１１】
請求項２に記載の発明のように、演出体の少なくとも一部を構成する第一演出部材と第二演出部材が同一平面上に位置する場合でも、演出体の一体感を向上させることが可能となる。
【００１２】
複数の演出部材によって演出体が構成される場合、演出部材同士を接触させることにより、できるだけ当該演出体の一体感が損なわれないようにすることが考えられるが、演出部材同士を接触させることとすると、当該接触によって演出部材が損傷する、接触による騒音が発生する、といった問題が生ずる。請求項３の発明のように、第一演出部材と第二演出部材は当接せずに隙間が形成されるように規制される構成とすれば、このような問題が生じない。また、演出体形成状態において当該隙間は補助装飾部に覆われることになるから、隙間が存在することによる演出体の一体感の低下を抑制することも可能である。
【００１３】
左右対称の演出体を形成する場合、上記特許文献１に記載のように単純に各演出部材を左右対称形状に形成するのが通常であるが、単純に各演出部材を左右対称形状にするのではなく、請求項４に記載の発明のように一方の演出体に補助装飾部を設けた上で、第一演出部材と第二演出部材によって形成される演出体の少なくとも一部を左右対称形状にすることが可能である。
【図面の簡単な説明】
【００１４】
【図１】第一演出部材が第一位置に、第二演出部材が第二位置に位置する状態（演出体形成状態）時における遊技機の正面図である。
【図２】センターベースおよびそれに取り付けられた演出部材（駆動装置）の正面図であり、第一演出部材および第二演出部材が原位置に位置する状態（演出体非形成状態）を示したものである。
【図３】センターベースおよびそれに取り付けられた演出部材（駆動装置）の正面図であり、第一演出部材が原位置と第一位置の間に、第二演出部材が原位置と第二位置に位置する状態（演出体非形成状態から演出体形成状態に変化する途中の状態）を示したものである。
【図４】センターベースおよびそれに取り付けられた演出部材（駆動装置）の正面図であり、第一演出部材が第一位置に、第二演出部材が第二位置に位置する状態（演出体形成状態）を示したものである。
【図５】第一位置に位置する第一演出部材および第二位置に位置する第二演出部材（演出体）と、両演出体を駆動する駆動装置（駆動源および動力伝達機構）を前方から見た外観図である。
【図６】センターベースおよびそれに取り付けられた演出部材（駆動装置）の背面図であり、第一演出部材が第一位置に、第二演出部材が第二位置に位置する状態（演出体形成状態）を示したものである。
【図７】図６における第一演出部材と第二演出部材の拡大図である。
【図８】第一位置に位置する第一演出部材および第二位置に位置する第二演出部材（演出体）と、両演出体を駆動する駆動装置（駆動源および動力伝達機構）を後方から見た外観図である。
【発明を実施するための形態】
【００１５】
以下、本発明にかかる実施形態について図面を参照して詳細に説明する。なお、以下の説明における平面方向とは遊技盤９２の平面方向に沿う（平行な）方向を、前後方向とは遊技盤９２の平面方向に直交する方向（遊技者側を前、その反対側を後とする）を、上下方向とは図１における上下方向を、幅方向（左右方向）とは図１における左右方向をいうものとする。
【００１６】
まず、図１を参照して遊技機１の全体構成について簡単に説明する。遊技機１は、額縁形状の機枠９０を有し、この機枠９０には前面枠９１が回動自在に支持されている。前面枠９１には、前側から遊技盤９２を視認可能とする透明な板が設けられている。
【００１７】
遊技盤９２は、ほぼ正方形の合板により成形されており、前面枠９１に着脱可能に取り付けられている。この遊技盤９２には、発射装置９４の操作によって発射された遊技球を遊技領域９２２に案内する金属製の薄板からなる帯状のガイドレール９２３が略円弧形状となるように設けられている。
【００１８】
遊技領域９２２には、表示装置９３、第一始動入賞口９２４、第二始動入賞口９２５、第一大入賞口９２６、第二大入賞口９２７、アウト口９２８などが設けられている。表示装置９３は、例えば液晶表示装置が用いられ、表示装置９３の表示画面（表示部）において特別図柄や普通図柄等が表示される。かかる表示装置９３の表示画面は、遊技盤９２に形成された開口９２１を通じて視認可能である。
【００１９】
また、遊技領域９２２には、流下する遊技球が衝突することにより遊技球の流下態様に変化を与える障害物としての遊技釘が複数設けられている。遊技領域９２２を流下する遊技球は、遊技釘に衝突したときの条件に応じて様々な態様に変化する。
【００２０】
遊技盤９２の開口９２１より下側の後方には、遊技の興趣を向上させるための演出動作を行う第一演出部材１０および第二演出部材２０が設けられている。また、これら演出部材を動作させるための駆動装置（駆動源や動力伝達機構）なども設けられている。これらは遊技盤９２の後方に設けられたセンターベース９５に支持されている。これら演出部材や駆動装置の構成の詳細については後述する。
【００２１】
このような遊技機１では、発射装置９４（ハンドル）を操作することにより遊技領域９２２に向けて遊技球を発射する。遊技領域９２２を流下する遊技球が、始動入賞口９２４、９２５や大入賞口９２６、９２７等の入賞口に入賞すると、所定の数の賞球が払出装置により払い出される。その他、大当たりの抽選方法や演出等は、公知の遊技機と同様のものが適用できるため、説明は省略する。
【００２２】
以下、遊技機１が備える演出部材およびこれらを動作させる駆動装置の構成について図１〜図８を用いて説明する。本実施形態にかかる遊技機１は、同一平面上に位置する第一演出部材１０および第二演出部材２０を備える。厳密には、詳細を後述する第一演出部材１０の主装飾部１０ａと、第二演出部材２０の主装飾部２０ａが同一平面上に位置する（同一平面上を移動する）。
【００２３】
第一演出部材１０は、遊技者に視認可能となる第一位置に位置することができる演出部材である。本実施形態では、第一演出部材１０は、原位置と終端位置である第一位置との間を移動可能である。第二演出部材２０は、遊技者に視認可能となる第二位置に位置することができる演出部材である。本実施形態では、第二演出部材２０は、原位置と終端位置である第二位置との間を移動可能である。第一位置に位置する第一演出部材１０と第二位置に位置する第二演出部材２０は、互いに接近することにより詳細を後述する演出体を形成する。一方、原位置に位置する第一演出部材１０と原位置に位置する第二演出部材２０は、当該演出体を形成しない。つまり、第一演出部材１０と第二演出部材２０は、演出体を形成する演出体形成状態と、演出体を形成しない演出体非形成状態とに変位する（移動する）ように構成される。
【００２４】
第一演出部材１０は、主装飾部（以下、後述する第二演出部材２０の主装飾部と区別するため第一主装飾部１０ａと称する）および補助装飾部１０ｂを有する。本実施形態では、第一主装飾部１０ａは、「Ｕ」字の左半分を象ったような形状（第一位置に位置するとき）を有する。この第一主装飾部１０ａには、第一駆動軸１１および第一支持軸１２の一端が回転自在に接続されている。第一駆動軸１１の他端側には歯車部１１１が形成されている。この第一駆動軸１１の歯車部１１１には、二つの第一中継歯車３１１の一方が噛み合っている。第一中継歯車３１１の一方には第一中継歯車３１１の他方が噛み合っており、この第一中継歯車３１１の他方には、モータである第一駆動源３１３の出力軸に固定された第一出力歯車３１２（図５参照）が噛み合っている。つまり、第一駆動源３１３の動力は、第一出力歯車３１２および二つの第一中継歯車３１１を介して第一駆動軸１１の歯車部１１１に伝達される。
【００２５】
また、第一駆動軸１１および第一支持軸１２の他端は、上記第一中継歯車３１１や第一駆動源３１３が支持されるベース部材３０（センターベース９５に固定されている）に対して回転自在に接続されている。具体的には、第一演出部材１０が第一位置に位置するときを基準とすれば、第一主装飾部１０ａに接続された第一駆動軸１１の一端は、同じく第一主装飾部１０ａに接続された第一支持軸１２の一端よりも幅方向外側かつ上方に位置する。また、ベース部材３０に接続された第一駆動軸１１の他端は、同じくベース部材３０に接続された第一支持軸１２の他端よりも幅方向内側に位置する。つまり、第一駆動軸１１と第一支持軸１２は、一端から他端にかけて互いに交差するように、一端が第一主装飾部１０ａに、他端がベース部材３０に接続されている。
【００２６】
第一駆動軸１１の他端におけるベース部材３０に対して接続された部分は、上記歯車部１１１の中心と一致する。つまり、第一駆動源３１３の動力が歯車部１１１に伝達されると、第一駆動軸１１は当該他端におけるベース部材３０に対して接続された部分を中心として回動する。この第一駆動軸１１における第一主装飾部１０ａに接続された部分とベース部材３０に接続された部分との間であって、第一主装飾部１０ａに接続された部分側には、第一主装飾部１０ａに接続された第一支持軸１２の一端から離れる方向に屈曲した屈曲部１１２が形成されている。第一主装飾部１０ａに接続された第一支持軸１２の一端には、後方に向かって突出した停止用突起１２１が形成されている。上記屈曲部１１２は、第一演出部材１０が第一位置に位置するときに、停止用突起１２１が屈曲部１１２の内側に入り込む位置に形成される。
【００２７】
第一演出部材１０が有する補助装飾部１０ｂは、第一演出部材１０が第一位置に位置するときを基準とすれば、第一主装飾部１０ａにおける幅方向中央側に設けられた部分である。補助装飾部１０ｂの具体的な形状は次の通りである。補助装飾部１０ｂは、その平面形状がある軸を対称軸として左右対称の形状である。第一演出部材１０は、第一主装飾部１０ａにおける幅方向中央側端部の前面に対し、補助装飾部１０ｂにおける対称軸の一方側が固定されたような形状を有する。厳密には、平面方向で見て、補助装飾部１０ｂの対称軸と第一主装飾部１０ａにおける幅方向中央側の側縁は略平行であって、第一主装飾部１０ａにおける幅方向中央側の側縁が補助装飾部１０ｂの対称軸よりも若干幅方向外側に位置するように両者の位置関係が設定されている。第一演出部材１０が第一位置に位置するとき、補助装飾部１０ｂの対称軸と遊技機１の幅方向中央を通る軸（遊技機１を幅方向に二分する軸）とは略一致することになる。
【００２８】
第二演出部材２０は、主装飾部（以下、上記第一演出部材１０の第一主装飾部１０ａと区別するため第二主装飾部２０ａと称する）を有する。本実施形態では、第二主装飾部２０ａは、「Ｕ」字の右半分を象ったような形状（第二位置に位置するとき）を有する。つまり、第一主装飾部１０ａと第二主装飾部２０ａは左右対称形状である。この第二主装飾部２０ａには、第二駆動軸２１および第二支持軸２２の一端が回転自在に接続されている。第二駆動軸２１の他端側には歯車部２１１が形成されている。この第二駆動軸２１の歯車部２１１には、二つの第二中継歯車３２１の一方が噛み合っている。第二中継歯車３２１の一方には第二中継歯車３２１の他方が噛み合っており、この第二中継歯車３２１の他方には、モータである第二駆動源３２３の出力軸に固定された第二出力歯車３２２（図５参照）が噛み合っている。つまり、第二駆動源３２３の動力は、第二出力歯車３２２および二つの第二中継歯車３２１を介して第二駆動軸２１の歯車部２１１に伝達される。
【００２９】
また、第二駆動軸２１および第二支持軸２２の他端は、上記第二中継歯車３２１や第二駆動源３２３が支持されるベース部材３０に対して回転自在に接続されている。具体的には、第二演出部材２０が第二位置に位置するときを基準とすれば、第二主装飾部２０ａに接続された第二駆動軸２１の一端は、同じく第二主装飾部２０ａに接続された第二支持軸２２の一端よりも幅方向外側かつ上方に位置する。また、ベース部材３０に接続された第二駆動軸２１の他端は、同じくベース部材３０に接続された第二支持軸２２の他端よりも幅方向内側に位置する。つまり、第二駆動軸２１と第二支持軸２２は、一端から他端にかけて互いに交差するように、一端が第二主装飾部２０ａに、他端がベース部材３０に接続されている。
【００３０】
第二駆動軸２１の他端におけるベース部材３０に対して接続された部分は、上記歯車部２１１の中心と一致する。つまり、第二駆動源３２３の動力が歯車部２１１に伝達されると、第二駆動軸２１は当該他端におけるベース部材３０に対して接続された部分を中心として回動する。この第二駆動軸２１における第二主装飾部２０ａに接続された部分とベース部材３０に接続された部分との間であって、第二主装飾部２０ａに接続された部分側には、第二主装飾部２０ａに接続された第二支持軸２２の一端から離れる方向に屈曲した屈曲部２１２が形成されている。第二主装飾部２０ａに接続された第二支持軸２２の一端には、後方に向かって突出した停止用突起２２１が形成されている。上記屈曲部２１２は、第二演出部材２０が第二位置に位置するときに、停止用突起２２１が屈曲部２１２の内側に入り込む位置に形成される。
【００３１】
第一演出部材１０と第二演出部材２０が原位置に位置するとき、または第一演出部材１０が第一位置に位置するとともに第二演出部材２０が第二位置に位置するとき（厳密には、原位置から第一位置にかけての第一演出部材１０の移動量と、原位置から第二位置にかけての第二演出部材２０の移動量が同じとき）には、第二演出部材２０、第二駆動軸２１、第二支持軸２２、第二中継歯車３２１、および第二駆動源３２３（第二出力歯車３２２）は、上記第一演出部材１０、第一駆動軸１１、第一支持軸１２、第一中継歯車３１１、および第一駆動源３１３（第一出力歯車３１２）と左右対称位置に位置する（左右対称形状に形成される）。当該対称軸は、遊技機１の幅方向中央を通る軸となる。第一演出部材１０が第一位置に位置するとともに第二演出部材２０が第二位置に位置するときには、上記補助装飾部１０ｂの対称軸と一致する。
【００３２】
以上の構成を備える第一演出部材１０および第二演出部材２０が合体するように組み合わされて「演出体」が形成される「演出体形成演出」について、一部上記説明と重複するが以下詳細に説明する。
【００３３】
第一演出部材１０および第二演出部材２０は、通常時（演出体非形成状態時）には原位置に位置し、遊技盤９２に覆われた状態にある。遊技機１が備える演出決定手段（図示されない制御基板）によって当該第一演出部材１０および第二演出部材２０を用いた演出を実行することが決定し、実行する段になったときには、第一駆動源３１３および第二駆動源３２３を駆動させる（正転させる）。
【００３４】
第一駆動源３１３の動力は、第一出力歯車３１２や第一中継歯車３１１を介して第一駆動軸１１から第一主装飾部１０ａに伝達される。第一駆動源３１３の動力が伝達された第一駆動軸１１は、ベース部材３０に対して回転自在に支持された他端を中心として時計回りに回動する。つまり、第一駆動軸１１の一端が幅方向中央かつ上方に向かって移動する。第一駆動軸１１の一端には第一主装飾部１０ａが接続されているため、第一主装飾部１０ａが当該方向に向かって移動する。
【００３５】
当該方向に向かって移動する第一主装飾部１０ａには第一駆動軸１１と交差するように設けられた第一支持軸１２も接続されているため、当該方向に移動するにつれて第一主装飾部１０ａの姿勢が変化する。具体的には、第一主装飾部１０ａにおける補助装飾部１０ｂ側の反対側端部が起立するように姿勢が変化していく。そして、最終的には「Ｕ」字の左半分を象ったような姿勢となる位置である、第一位置に到達して停止する。本実施形態では、第一位置に到達した第一主装飾部１０ａ（第一演出部材１０）の移動を停止させるストッパ機構が設けられている。ストッパ機構は、第一駆動軸１１の屈曲部１１２と第一支持軸１２の停止用突起１２１とから構成される。原位置では、第一支持軸１２の停止用突起１２１と第一駆動軸１１の屈曲部１１２は離れた状態にある。第一主装飾部１０ａが第一位置に向かって移動していくにつれ、停止用突起１２１と屈曲部１１２は徐々に近づいていく。そして、第一主装飾部１０ａが第一位置に到達する直前で停止用突起１２１が屈曲部１１２の内側に入り込み、第一主装飾部１０ａが第一位置に到達した瞬間に停止用突起１２１が屈曲部１１２（凹形状である屈曲部１１２の底の部分）に接触する。停止用突起１２１と屈曲部１１２が接触すると、第一駆動軸１１と第一支持軸１２が互いに移動を阻止し合う状態となるから、第一主装飾部１０ａ（第二演出部材２０）は第一位置に到達した時点でそれ以上移動することができなくなる（図６〜図８参照）。
【００３６】
第二主装飾部２０ａは、移動する第一主装飾部１０ａと同一平面（遊技盤９２に平行な平面）に沿ってかつ左右対称の軌跡で次のように移動する。第二駆動源３２３の動力は、第二出力歯車３２２や第二中継歯車３２１を介して第二駆動軸２１から第二主装飾部２０ａに伝達される。第二駆動源３２３の動力が伝達された第二駆動軸２１は、ベース部材３０に対して回転自在に支持された他端を中心として反時計回りに回動する。つまり、第二駆動軸２１の一端が幅方向中央かつ上方に向かって移動する。第二駆動軸２１の一端には第二主装飾部２０ａが接続されているため、第二主装飾部２０ａが当該方向に向かって移動する。
【００３７】
当該方向に向かって移動する第二主装飾部２０ａには第二駆動軸２１と交差するように設けられた第二支持軸２２も接続されているため、当該方向に移動するにつれて第二主装飾部２０ａの姿勢が変化する。具体的には、第二主装飾部２０ａにおける補助装飾部１０ｂ側の反対側端部が起立するように姿勢が変化していく。そして、最終的には「Ｕ」字の右半分を象ったような姿勢となる位置である、第二位置に到達して停止する。本実施形態では、第二位置に到達した第二主装飾部２０ａ（第二演出部材２０）の移動を停止させる第一主装飾部１０ａと同様のストッパ機構が設けられている。ストッパ機構は、第二駆動軸２１の屈曲部２１２と第二支持軸２２の停止用突起２２１とから構成される。原位置では、第二支持軸２２の停止用突起２２１と第二駆動軸２１の屈曲部２１２は離れた状態にある。第二主装飾部２０ａが第二位置に向かって移動していくにつれ、停止用突起２２１と屈曲部２１２は徐々に近づいていく。そして、第二主装飾部２０ａが第二位置に到達する直前で停止用突起２２１が屈曲部２１２の内側に入り込み、第二主装飾部２０ａが第二位置に到達した瞬間に停止用突起２２１が屈曲部２１２（凹形状である屈曲部２１２の底の部分）に接触する。停止用突起２２１と屈曲部２１２が接触すると、第二駆動軸２１と第二支持軸２２が互いに移動を阻止し合う状態となるから、第二主装飾部２０ａ（第二演出部材２０）は第二位置に到達した時点でそれ以上移動することができなくなる（図６〜図８参照）。
【００３８】
本実施形態では、第一駆動源３１３と第二駆動源３２３を同時に駆動開始させるため、第一演出部材１０が第一位置に到達するのと、第二演出部材２０が第二位置に到達するのはほぼ同時である。第一主装飾部１０ａと第二主装飾部２０ａは同一平面に沿って移動するため、第一位置に到達した第一演出部材１０の第一主装飾部１０ａと第二位置に到達した第二演出部材２０の第二主装飾部２０ａとによって平面形状が略「Ｕ」字（蹄鉄状）の一体的な形態が形成される。ただし、本実施形態では、当該一体的な形態が形成されたとき、第一位置に到達した第一主装飾部１０ａの一方側端部（最も第二主装飾部２０ａに近い補助装飾部１０ｂ側の端部）と第二位置に到達した第二主装飾部２０ａの一方側端部（最も第一主装飾部１０ａに近い端部）との間、つまり最も接近した箇所の間には上下方向に沿う細長い隙間Ｓが生ずる。すなわち、そのまま両主装飾部を移動させ続ければ同一平面に沿って移動する両主装飾部が互いに接触して移動が停止するところ（両主装飾部を幅方向中央で突き合わせることによって移動を停止させてもよいところ）、当該隙間Ｓが生ずる位置で上記ストッパ機構が作用し、第一演出部材１０（第一主装飾部１０ａ）および第二演出部材２０（第二主装飾部２０ａ）が停止するように設定されている。つまり、一体的な形態を形成する第一主装飾部１０ａと第二主装飾部２０ａの境目において、両演出部材（両主装飾部）は接触しない。
【００３９】
この第一演出部材１０（第一主装飾部１０ａ）と第二演出部材２０（第二主装飾部２０ａ）の境目に生ずる隙間Ｓは、第一位置に到達した第一演出部材１０の補助装飾部１０ｂに覆われる。そのため、第一演出部材１０が第一位置に到達するとともに第二演出部材２０が第二位置に到達したとき、遊技者から（前方から）は第一主装飾部１０ａと第二主装飾部２０ａの境目に生ずる隙間Ｓは視認できない。つまり、第一演出部材１０が第一位置に到達するとともに第二演出部材２０が第二位置に到達したときには、この第一演出部材１０および第二演出部材２０の組み合わせによって、少なくとも正面から見て演出部材間（主装飾部間）に隙間のない左右対称の演出体（二つの主装飾部によって構成される略「Ｕ」字の形態における境目が補助装飾部１０ｂに覆われたもの）が形成されているように見える。さらに、第一主装飾部１０ａと第二主装飾部２０ａを左右対称形状としているため、演出体形成状態となった際に第一演出部材１０と第二演出部材２０が一体的な演出体を形成していることをイメージし易い。すなわち、遊技者の視覚的に一体感のある演出体が形成される。上記のように各主装飾部を左右対称形状にすると、より演出体の一体感を高めることが可能となるが、必ずしも各主装飾部を左右対称とする必要はなく、第一演出部材１０と第二演出部材２０の境目に生じる隙間Ｓが覆われていれば演出体の一体感の低下を抑制することが可能である。
【００４０】
本実施形態では、上下方向に細長い隙間Ｓ（境目）の全部が補助装飾部１０ｂに覆われる（特に図７参照）。第一演出部材１０が第一位置に到達すると、左右対称形状である補助装飾部１０ｂの対称軸は、隙間Ｓ（境目）の幅方向中央を通る軸（隙間Ｓを幅方向に二分する軸）と一致する。上述した、第一主装飾部１０ａ、第二主装飾部２０ａ、および補助装飾部１０ｂによって構成される左右対称形状の演出体の対称軸は、この補助装飾部１０ｂの対称軸や隙間Ｓの幅方向中央を通る軸と一致する。
【００４１】
以上説明した本実施形態にかかる遊技機１によれば、次のような作用効果が奏される。
【００４２】
第一演出部材１０と第二演出部材２０によって演出体が形成された演出体形成状態時には、第一演出部材１０に設けられた補助装飾部１０ｂに両演出部材（両主装飾部）の境目および第二演出部材２０が覆われるから、両演出部材が組み合わされて形成される演出体の一体感を向上させることが可能である。
【００４３】
また、本実施形態では、第一位置に位置する第一演出部材１０と第二位置に位置する第二演出部材２０は接触しない。通常、複数の演出部材によって演出体が構成される場合、演出部材同士を接触させることにより、できるだけ当該演出体の一体感が損なわれないようにすることが考えられるが、演出部材同士を接触させることとすると、当該接触によって演出部材が損傷する、接触による騒音が発生する、といった問題が生ずる。本実施形態にかかる遊技機１によれば、第一位置に位置する第一演出部材１０と第二位置に位置する第二演出部材２０が接触しないため上記問題の発生を防止することが可能であるとともに、それによって生ずる隙間Ｓが補助装飾部１０ｂに覆われるため、当該隙間Ｓの存在による演出体の一体感の低下を抑制することも可能である。
【００４４】
また、左右対称の演出体を形成する場合、単純に各演出部材を左右対称形状に形成するのが通常であるところ、本実施形態にかかる遊技機１は第一演出部材１０と第二演出部材２０を左右対称形状としていない。つまり、単純に各演出部材を左右対称形状に形成するのではなく、一方の演出部材（本実施形態では第一演出部材１０）にのみ補助装飾部１０ｂを設けた構成とすることにより、見た目上は境目のない一体感のある演出体が形成されるようにした点で本実施形態にかかる遊技機１は優れるものである。
【００４５】
以上、本発明の実施の形態について詳細に説明したが、本発明は上記実施の形態に何ら限定されるものではなく、本発明の要旨を逸脱しない範囲で種々の改変が可能である。
【００４６】
上記実施形態では、第一演出部材１０および第二演出部材２０の両方が移動可能な部材であることを説明したが、少なくとも一方が移動可能な構成であってもよい。つまり、両演出部材の少なくとも一方が移動することで演出体が形成される構成であればよい。
【００４７】
上記実施形態は、第一演出部材１０と第二演出部材２０によって演出体の全体が形成される構成であることを説明したが、第一演出部材１０と第二演出部材２０によって演出体の一部が形成される構成にも上記と同様の技術思想が適用できる。つまり、第一演出部材および第二演出部材以外の演出部材が設けられ、これら全ての（三つ以上の）演出部材によって演出体の全体が形成される構成にも上記と同様の技術思想が適用できる。つまり、このように三つ以上の演出部材によって演出体が形成される場合には、このうちの二つの演出部材が接近することによって「演出体の一部」が形成されるということになる。
【００４８】
上記実施形態では、演出部材同士の接触による破損や騒音の発生を防止するため、第一位置に到達した第一演出部材１０（第一主装飾部１０ａ）と第二位置に到達した第二演出部材２０（第二主装飾部２０ａ）は接触しない（最も接近する箇所の間には隙間Ｓが生ずる）ことを説明したが、上記演出部材同士の接触による破損や騒音の発生を防止するという効果を求めないのであれば、第一位置に到達した第一演出部材１０（第一主装飾部１０ａ）と第二位置に到達した第二演出部材２０（第二主装飾部２０ａ）が最も接近する箇所において接触するように構成してもよい。このような場合であっても、両演出部材（両主装飾部）が接触する箇所である境目は補助装飾部１０ｂに覆われるから、形成される演出体の一体感の向上という効果が奏される。
【００４９】
上記実施形態では、第一演出部材１０に補助装飾部１０ｂが設けられていることを説明したが、第一演出部材に補助装飾部が設けられず、第二演出部材に補助装飾部が設けられた構成（第一演出部材が第一主装飾部のみを有し、第二演出部材が第二主装飾部と補助装飾部を有する構成）としてもよい。
【００５０】
上記実施形態では第一演出部材１０と第二演出部材２０が合体するように組み合わされることによって演出体が形成されることを説明したが、このように合体するように組み合わされるものに限られず、少なくとも視覚的に一体的に見えるようなものであればよい。すなわち、「第一演出部材と第二演出部材の組み合わせによって形成される演出体」には、第一演出部材と第二演出部材が接近して合体してなる形態が形成されるものだけでなく、遠く離れていても視覚的に一体的に見えるようなものも含む。
【００５１】
上記実施形態では、第一演出部材１０および第二演出部材２０を移動させる駆動源（第一駆動源３１３および第二駆動源３２３）としてモータを用い、駆動軸（第一駆動軸１１および第二駆動軸２１）と支持軸（第一支持軸１２および第二支持軸２２）によって構成されるストッパ機構によって、第一演出部材１０を第一位置で、第二演出部材２０を第二位置で停止させる構成であることを説明したが、第一演出部材１０を第一位置で、第二演出部材２０を第二位置で停止させることができるものであれば、このような構成に限られない。例えば、位置制御可能なステッピングモータ等のサーボモータを用いてもよいし、第一位置に到達した第一演出部材および第二位置に到達した第二演出部材がそれ以上他方の演出部材に近づかないよう、両演出部材を物理的に停止させるストッパ部材を別に設けた構成（ストッパ部材によって停止したことが検出された時点で駆動源を停止させる構成）としてもよい。
【符号の説明】
【００５２】
１０  第一演出部材
１０ａ  第一主装飾部
１０ｂ  補助装飾部
２０  第二演出部材
２０ａ  第二主装飾部
Ｓ  隙間
【図１】
2014132932.tif 000003
【図２】
2014132932.tif 000004
【図３】
2014132932.tif 000005
【図４】
2014132932.tif 000006
【図５】
2014132932.tif 000007
【図６】
2014132932.tif 000008
【図７】
2014132932.tif 000009
【図８】
2014132932.tif 000010
【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
第一演出部材と第二演出部材の組み合わせにより演出体の少なくとも一部を形成する遊技機において、
前記第一演出部材と前記第二演出部材は、
前記第一演出部材と前記第二演出部材の少なくとも一方が移動することで、前記第一演出部材と前記第二演出部材が接近して前記演出体の少なくとも一部を形成する演出体形成状態と、前記演出体形成状態よりも前記第一演出部材と前記第二演出部材とが離間して前記演出体の少なくとも一部を形成しない演出体非形成状態とに変位するように構成され、
前記第一演出部材と前記第二演出部材の両方には、主装飾部が形成されるとともに、前記第一演出部材と前記第二演出部材の一方には、主装飾部の前方に位置し、前記演出体形成状態の際に前記第一演出部材と前記第二演出部材の主装飾部間の境目および前記第一演出部材と前記第二演出部材の他方の主装飾部の少なくとも一部を覆う補助装飾部が形成されていることを特徴とする遊技機。
【請求項２】
少なくとも前記演出体形成状態において、前記第一演出部材および前記第二演出部材の主装飾部は同一平面上に位置することを特徴とする請求項１に記載の遊技機。
【請求項３】
前記演出体形成状態において、前記第一演出部材と前記第二演出部材の主装飾部同士は当接せずに隙間が形成されるように規制されているとともに、隙間の少なくとも一部は前記補助装飾部に覆われていることを特徴とする請求項１または請求項２に記載の遊技機。
【請求項４】
前記第一演出部材と前記第二演出部材によって形成される演出体の少なくとも一部は、境目の中央を通る直線を対称軸として左右対称であることを特徴とする請求項１から請求項３のいずれか一項に記載の遊技機。
【手続補正２】
【補正対象書類名】明細書
【補正対象項目名】０００６
【補正方法】変更
【補正の内容】
【０００６】
上記課題を解決するためになされた請求項１の発明にかかる遊技機は、第一演出部材と第二演出部材の組み合わせにより演出体の少なくとも一部を形成する遊技機において、前記第一演出部材と前記第二演出部材は、前記第一演出部材と前記第二演出部材の少なくとも一方が移動することで、前記第一演出部材と前記第二演出部材が接近して前記演出体の少なくとも一部を形成する演出体形成状態と、前記演出体形成状態よりも前記第一演出部材と前記第二演出部材とが離間して前記演出体の少なくとも一部を形成しない演出体非形成状態とに変位するように構成され、前記第一演出部材と前記第二演出部材の両方には、主装飾部が形成されるとともに、前記第一演出部材と前記第二演出部材の一方には、主装飾部の前方に位置し、前記演出体形成状態の際に前記第一演出部材と前記第二演出部材の主装飾部間の境目および前記第一演出部材と前記第二演出部材の他方の主装飾部の少なくとも一部を覆う補助装飾部が形成されていることを特徴とする。
【手続補正３】
【補正対象書類名】明細書
【補正対象項目名】０００７
【補正方法】変更
【補正の内容】
【０００７】
請求項２に記載の発明は、請求項１に記載の遊技機において、少なくとも前記演出体形成状態時に、前記第一演出部材および前記第二演出部材の主装飾部は同一平面上に位置することを特徴とする。
【手続補正４】
【補正対象書類名】明細書
【補正対象項目名】０００８
【補正方法】変更
【補正の内容】
【０００８】
請求項３に記載の発明は、請求項１または請求項２に記載の遊技機において、前記演出体形成状態時に、前記第一演出部材と前記第二演出部材の主装飾部同士は当接せずに隙間が形成されるように規制されているとともに、隙間の少なくとも一部は前記補助装飾部に覆われていることを特徴とする。